(57)【要約】【課題】可動レンズの移動を妨げることなく、アクチュエータ構成部品と位置検出部構成部品との少なくとも一方への電気的な接続を行えるレンズ鏡筒を提供する。また、移動部材の位置を正確に検出できるレンズ鏡筒、カメラシステムを提供する。【解決手段】コイル３１Ｘ，３１Ｙに接続される第２ＦＣＰ２２を、レンズ群Ｌ２とコイル３１Ｘ，３１Ｙとの間、及び、レンズ群Ｌ２と位置検出用マグネット２３Ｘ，２３Ｙとの間に配置する。また、ホール素子６１Ｘ，６１Ｙの位置を決める第２の凹部３０ｄＸ，３０ｄＹをベース部材３０に設ける。【選択図】図３
2007219251.tif 000002
【特許請求の範囲】
【請求項１】
撮影光学系の少なくとも一部であって、前記撮影光学系の光軸に略直交する方向に移動する可動レンズと、
前記可動レンズを保持し、前記光軸に略直交する方向に移動可能な保持枠と、
前記可動レンズ及び前記保持枠を支持するベース部材と、
を備え、
前記保持枠には、前記可動レンズ及び前記保持枠を駆動する駆動力を発生するアクチュエータの全部又は一部であるアクチュエータ構成部品と、前記可動レンズ及び前記保持枠の位置を検出する位置検出部の全部又は一部である位置検出部構成部品との少なくとも一方が設けられ、
前記アクチュエータ構成部品と前記位置検出部構成部品との少なくとも一方と、前記可動レンズとの間に設けられ、前記アクチュエータ構成部品と前記位置検出部構成部品との少なくとも一方に対する電気的な接続を行う配線部材を備えるレンズ鏡筒。
【請求項２】
請求項１に記載のレンズ鏡筒において、
前記アクチュエータ構成部品と前記位置検出部構成部品との少なくとも一方は、前記光軸に直交するとともに互いに直交する２方向に分けて２つ配置されており、
前記配線部材と前記ベース部材とが接続されるベース部材側接続部と、前記配線部材と前記保持枠とが接続される保持枠側接続部との少なくとも一方は、２つ配置された前記アクチュエータ構成部品又は前記位置検出部構成部品の間に配置されていること、
を特徴とするレンズ鏡筒。
【請求項３】
請求項１又は請求項２に記載のレンズ鏡筒において、
前記配線部材と前記ベース部材とが接続されるベース部材側接続部と、前記配線部材と前記保持枠とが接続される保持枠側接続部とは、前記可動レンズを挟んで対向する位置に配置されていること、
を特徴とするレンズ鏡筒。
【請求項４】
請求項１から請求項３までのいずれか１項に記載のレンズ鏡筒において、
前記配線部材は、前記可動レンズの外周を囲む形態で配置されていること、
を特徴とするレンズ鏡筒。
【請求項５】
請求項１から請求項４までのいずれか１項に記載のレンズ鏡筒において、
前記配線部材は、フレキシブルプリント配線板であること、
を特徴とするレンズ鏡筒。
【請求項６】
撮影光学系と、
前記撮影光学系の少なくとも一部が移動するときに移動する移動部材の位置を検出する位置検出部と、
前記位置検出部の全部又は一部である位置検出部構成部品が固定される部材であって、前記位置検出部構成部品の外形に略一致する形状に形成され、前記位置検出部構成部品の位置を決める位置決め凹部を有する位置検出部構成部品固定部材と、
を備えるレンズ鏡筒。
【請求項７】
請求項６に記載のレンズ鏡筒において、
前記移動部材は、前記撮影光学系の光軸に略直交する方向に移動する可動レンズを保持し、前記光軸に略直交する方向に移動可能な保持枠であり、
前記位置検出部構成部品固定部材は、前記可動レンズ及び前記保持枠を支持するベース部材であり、
前記位置検出部構成部品は、前記ベース部材の前記保持枠を支持する側とは反対側から取り付けられていること、
を特徴とするレンズ鏡筒。
【請求項８】
請求項６又は請求項７に記載のレンズ鏡筒において、
前記位置検出部構成部品は、前記移動部材に設けられた磁石に対向する位置に設けられ、磁気の変化を検出することにより前記移動部材の位置を検出する磁気検出素子であり、
前記位置検出部構成部品固定部材は、非磁性体材料により形成されていること、
を特徴とするレンズ鏡筒。
【請求項９】
請求項８に記載のレンズ鏡筒において、
前記位置決め凹部は、貫通していないこと、
を特徴とするレンズ鏡筒。
【請求項１０】
請求項１から請求項９までのいずれか１項に記載のレンズ鏡筒を備えるカメラシステム。
【発明の詳細な説明】
【技術分野】
【０００１】
本発明は、撮影光学系の一部が移動するレンズ鏡筒、カメラシステムに関するものである。
【背景技術】
【０００２】
従来、この種の装置としてボイスコイルモータ（ＶＣＭ）等のアクチュエータを用いて、可動レンズであるブレ補正光学系を光軸に略直交する面内でシフト移動させることによって、像のブレを補正するものが知られている。
また、ブレ補正光学系のシフト移動量を検出するため、ＰＳＤ（Position Sensitive Detector）やＬＥＤ（Light Emitting Diode）、反射型フォトセンサ（Photo Reflector）等のセンサを用いたものが知られている。
このようなブレ補正装置では、移動するブレ補正光学系側に対して、固定部材側からアクチュエータやセンサへの電源供給や通信を行う必要がある。従来、可動部に取り付けられた電気部品と固定された基板等との電気的接続には、直接導線やリード線を接続する手法が用いられていた。
【０００３】
しかし、導線やリード線を直接接続することにより、移動するブレ補正光学系側に電源の供給や通信を行う配線構造では、導線やリード線が他部品へ接触してしまい、ブレ補正光学系の移動を妨げてしまったり、又は、導線やリード線の特定箇所に応力が集中して、繰り返しの移動により断線が生じたりするという問題があった。
【０００４】
また、特許文献１には、フレキシブルプリント配線板（ＦＰＣ）を折り返して配線を行う構成が提案されている。
特許文献１に記載の構成では、ＦＰＣがブレ補正ユニットの外周付近に配置されている。したがって、このＦＰＣが配置されている付近には、ブレ補正ユニットの組み立てに使用するビスを設けたり、ブレ補正光学系を支持する部分を設けたりできないという問題があった。
また、レンズ鏡筒の小型化を図ろうとすると、ビス止め部分やブレ補正光学系を支持する部分よりも外周側にＦＰＣを配置することができないという問題があった。
さらに、ＦＰＣを外周付近に配置すると、ＦＰＣよりも外側に設けられた部材とＦＰＣとが接触してしまうおそれがあった。ＦＰＣの折り曲げ加工の精度は、あまり高くないので、曲げ位置が本来の位置からずれた場合には、ＦＰＣよりも外側に設けられた部材とＦＰＣとが接触する危険性が特に高くなってしまう。
【０００５】
一方、ブレ補正光学系のシフト移動量を検出するセンサ等は、ＦＰＣに実装し、ＦＰＣを本体に取り付けると簡単かつ安価に構成できる。しかし、センサ等をＦＰＣに実装すると、センサとＦＰＣとの半田付けの位置ずれや浮き等によりセンサ等の設置の位置精度が悪いという問題があった。
特許文献１に記載の構成では、ＰＳＤの設置の位置精度をよくするためにＰＳＤが本体に固定されており、このＰＳＤに対する電気的配線は、ＦＰＣとＰＳＤとをつなぐ４本の導線を２組、合計８本の導線により行われている。したがって、多数の導線を整理しながら接続しなければならず、製造工程が複雑であり、また、部品点数が多いという問題があった。
【特許文献１】特開２０００−３２１６１１号公報
【発明の開示】
【発明が解決しようとする課題】
【０００６】
本発明の課題は、可動レンズの移動を妨げることなく、アクチュエータ構成部品と位置検出部構成部品との少なくとも一方への電気的な接続を行えるレンズ鏡筒、カメラシステムを提供することである。
また、本発明の第２の課題は、移動部材の位置を正確に検出できるレンズ鏡筒、カメラシステムを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。また、符号を付した構成は適宜改良してもよい。さらに、少なくとも一部を他の構成物に代替してもよく、その配置について特に限定のない構成要件は、実施例で開示した配置に限らない。
請求項１の発明は、撮影光学系（Ｌ１，Ｌ２，Ｌ３）の少なくとも一部であって、前記撮影光学系の光軸に略直交する方向に移動する可動レンズ（Ｌ２）と、前記可動レンズを保持し、前記光軸に略直交する方向に移動可能な保持枠（２０）と、前記可動レンズ及び前記保持枠を支持するベース部材（３０）と、を備え、前記保持枠には、前記可動レンズ及び前記保持枠を駆動する駆動力を発生するアクチュエータの全部又は一部であるアクチュエータ構成部品（２１Ｘ，２１Ｙ）と、前記可動レンズ及び前記保持枠の位置を検出する位置検出部の全部又は一部である位置検出部構成部品（２３Ｘ，２３Ｙ）との少なくとも一方が設けられ、前記アクチュエータ構成部品と前記位置検出部構成部品との少なくとも一方と、前記可動レンズとの間に設けられ、前記アクチュエータ構成部品と前記位置検出部構成部品との少なくとも一方に対する電気的な接続を行う配線部材（２２）を備えるレンズ鏡筒（２）である。
請求項２の発明は、請求項１に記載のレンズ鏡筒において、前記アクチュエータ構成部品（２１Ｘ，２１Ｙ）と前記位置検出部構成部品（２３Ｘ，２３Ｙ）との少なくとも一方は、前記光軸に直交するとともに互いに直交する２方向に分けて２つ配置されており、前記配線部材（２２）と前記ベース部材（３０）とが接続されるベース部材側接続部（２２ｃ，２２ｄ）と、前記配線部材と前記保持枠（２０）とが接続される保持枠側接続部（２２ｅ）との少なくとも一方は、２つ配置された前記アクチュエータ構成部品又は前記位置検出部構成部品の間に配置されていること、を特徴とするレンズ鏡筒（２）である。
請求項３の発明は、請求項１又は請求項２に記載のレンズ鏡筒において、前記配線部材（２２）と前記ベース部材（３０）とが接続されるベース部材側接続部（２２ｃ，２２ｄ）と、前記配線部材と前記保持枠（２０）とが接続される保持枠側接続部（２２ｅ）とは、前記可動レンズ（Ｌ２）を挟んで対向する位置に配置されていること、を特徴とするレンズ鏡筒（２）である。
請求項４の発明は、請求項１から請求項３までのいずれか１項に記載のレンズ鏡筒において、前記配線部材（２２）は、前記可動レンズ（Ｌ２）の外周を囲む形態で配置されていること、を特徴とするレンズ鏡筒（２）である。
請求項５の発明は、請求項１から請求項４までのいずれか１項に記載のレンズ鏡筒において、前記配線部材（２２）は、フレキシブルプリント配線板であること、を特徴とするレンズ鏡筒（２）である。
請求項６の発明は、撮影光学系（Ｌ１，Ｌ２，Ｌ３）と、前記撮影光学系の少なくとも一部（Ｌ２）が移動するときに移動する移動部材（２０）の位置を検出する位置検出部（２３Ｘ，２３Ｙ，６１Ｘ，６１Ｙ）と、前記位置検出部の全部又は一部である位置検出部構成部品（６１Ｘ，６１Ｙ）が固定される部材であって、前記位置検出部構成部品の外形に略一致する形状に形成され、前記位置検出部構成部品の位置を決める位置決め凹部（３０ｄＸ，３０ｄＹ）を有する位置検出部構成部品固定部材（３０）と、を備えるレンズ鏡筒（２）である。
請求項７の発明は、請求項６に記載のレンズ鏡筒において、前記移動部材は、前記撮影光学系（Ｌ１，Ｌ２，Ｌ３）の光軸に略直交する方向に移動する可動レンズ（Ｌ２）を保持し、前記光軸に略直交する方向に移動可能な保持枠（２０）であり、前記位置検出部構成部品固定部材は、前記可動レンズ及び前記保持枠を支持するベース部材（３０）であり、前記位置検出部構成部品（６１Ｘ，６１Ｙ）は、前記ベース部材の前記保持枠を支持する側とは反対側から取り付けられていること、を特徴とするレンズ鏡筒（２）である。
請求項８の発明は、請求項６又は請求項７に記載のレンズ鏡筒において、前記位置検出部構成部品は、前記移動部材（２０）に設けられた磁石（２３Ｘ，２３Ｙ）に対向する位置に設けられ、磁気の変化を検出することにより前記移動部材の位置を検出する磁気検出素子（６１Ｘ，６１Ｙ）であり、前記位置検出部構成部品固定部材（３０）は、非磁性体材料により形成されていること、を特徴とするレンズ鏡筒（２）である。
請求項９の発明は、請求項８に記載のレンズ鏡筒において、前記位置決め凹部（３０ｄＸ，３０ｄＹ）は、貫通していないこと、を特徴とするレンズ鏡筒（２）である。
請求項１０の発明は、請求項１から請求項９までのいずれか１項に記載のレンズ鏡筒（２）を備えるカメラシステム（１，２，３）である。
【発明の効果】
【０００８】
本発明によれば、可動レンズの移動を妨げることなく、アクチュエータ構成部品と位置検出部構成部品との少なくとも一方への電気的な接続を行える。また、移動部材の位置を正確に検出できる。
【発明を実施するための最良の形態】
【０００９】
可動レンズの移動を妨げることなく、アクチュエータ構成部品と位置検出部構成部品との少なくとも一方への電気的な接続を行うという目的を、アクチュエータ構成部品と位置検出部構成部品との少なくとも一方と可動レンズとの間に配線部材を設けることにより実現した。
また、移動部材の位置を正確に検出するという目的を、位置検出部構成部品固定部材に位置検出部構成部品の位置を決める位置決め凹部を設けることにより実現した。
【実施例】
【００１０】
図１は、本発明によるレンズ鏡筒を含むカメラの実施例を示す図である。
なお、図１を含め、以下に示す各図中には、説明のため共通のＸＹＺ座標軸を示している。
カメラ１は、レンズ鏡筒２を有し、レンズ鏡筒２を通過した映像光を撮像素子３上に結像させて撮影するカメラである。なお、本実施例では、レンズ鏡筒２がカメラ１に内蔵され、レンズ交換不可能な例を挙げて説明するが、レンズ交換可能なカメラシステムに使用するレンズ鏡筒であってもよい。
レンズ鏡筒２は、レンズ群Ｌ１，Ｌ２，Ｌ３からなる撮影光学系を有している。この内、レンズ群Ｌ２は、ブレ補正ユニット１００内に設けられており、光軸Ｉに直交する方向にシフト移動することにより、撮像素子３上の像ブレを補正するように移動可能な可動レンズとなっている。
【００１１】
図２は、ブレ補正ユニット１００の主要な部材を撮像素子側から示す分解斜視図である。
図３は、ブレ補正ユニット１００の主要な部材を被写体側から示す分解斜視図である。
図４は、ブレ補正ユニット１００から蓋部材１０を取り外して被写体側から見た図である。
図５は、ブレ補正ユニット１００から蓋部材１０を取り外して撮像素子側から見た図である。
図６は、保持枠２０を撮像素子側から見た図である。
ブレ補正ユニット１００は、被写体側から、蓋部材１０，保持枠２０，ベース部材３０，第１ＦＰＣ（フレキシブルプリント配線板）６０を有している。
【００１２】
保持枠２０は、レンズ群Ｌ２を保持し、光軸に直交する方向に移動可能な移動部材であり、コイル２１Ｘ，２１Ｙ，第２ＦＰＣ２２，位置検出用マグネット２３Ｘ，２３Ｙが設けられている。
コイル２１Ｘ，２１Ｙは、光軸に直交する面内（ＸＹ平面内）において保持枠２０を任意の方向に駆動するアクチュエータを構成する部材であり、Ｘ方向駆動用のコイル２１ＸとＹ方向駆動用のコイル２１Ｙとの２つのコイルがＸ軸，Ｙ軸に沿って２方向に分けて保持枠２０に固定されている。保持枠２０を駆動するアクチュエータは、コイル２１Ｘ，２１Ｙの他、後述するマグネット１１Ｘ，１１Ｙ、ヨーク１２Ｘ，１２Ｙ、ヨーク３１Ｘ，３１Ｙをアクチュエータ構成部品とし、これらが組み合わせられることにより、ボイスコイルモータが形成されている。
【００１３】
位置検出用マグネット２３Ｘ，２３Ｙは、光軸に直交する面内（ＸＹ平面内）において移動する保持枠２０の位置を検出するために、Ｘ方向の位置検出用マグネット２３ＸとＹ方向の位置検出用マグネット２３Ｙとの２つのマグネットがＸ軸，Ｙ軸に沿って２方向に分けて保持枠２０に固定されている。保持枠２０の位置を検出する位置検出部は、位置検出用マグネット２３Ｘ，２３Ｙ、及び、後述するホール素子６１Ｘ，６１Ｙを位置検出部構成部品とし、これらが組み合わせられることにより、保持枠２０の位置を検出することができる。
【００１４】
第２ＦＰＣ２２は、Ｘ方向駆動用のコイル２１ＸとＹ方向駆動用のコイル２１Ｙに対して電力を供給する配線部材である。
第２ＦＰＣ２２は、ベース部材３０と接続されるベース部材側接続部２２ｃ，２２ｄと、保持枠２０と接続される保持枠側接続部２２ｅとを有している。ベース部材側接続部２２ｃ，２２ｄは、位置検出用マグネット２３Ｘと位置検出用マグネット２３Ｙとの間に設けられており、保持枠側接続部２２ｅは、コイル２１Ｘとコイル２１Ｙとの間に設けられている。従って、第２ＦＰＣ２２は、ベース部材側接続部２２ｃ，２２ｄと保持枠側接続部２２ｅとを結ぶ仮想線が、Ｘ軸及びＹ軸と略４５度の角度を成す方向に配置されている。
【００１５】
ベース部材側接続部２２ｃ，２２ｄは、ベース部材３０に設けられた貫通穴３０ｅに挿入され、後述するベース部材３０に固定された第１ＦＰＣ６０に半田付け（いわゆる半田ブリッジ）されることにより、間接的にベース部材３０に対して固定されている。
また、保持枠側接続部２２ｅは、保持部材２０に設けられた突起部２０ａに接着固定されており、保持枠側接続部２２ｅには、コイル２１Ｘ，２１Ｙの導線２１Ｘａ，２１Ｙａが半田付けされている。
【００１６】
ベース部材側接続部２２ｃと保持枠側接続部２２ｅとを結ぶ配線部２２ａには、コイル２１Ｘに接続される２本の導線（ライン）が形成されている。この配線部２２ａは、レンズ群Ｌ２と位置検出用マグネット２３Ｙとの間、及び、レンズ群Ｌ２とコイル２１Ｘとの間に配置されている。
一方、ベース部材側接続部２２ｄと保持枠側接続部２２ｅとを結ぶ配線部２２ｂには、コイル２１Ｙに接続される２本の導線（ライン）が形成されている。この配線部２２ｂは、レンズ群Ｌ２と位置検出用マグネット２３Ｘとの間、及び、レンズ群Ｌ２とコイル２１Ｙとの間に配置されている。
このように、第２ＦＰＣ２２は、レンズ群Ｌ２の周囲を囲むような形態で配置されている。したがって、保持枠２０の移動可能範囲内において、第２ＦＰＣ２２の剛性が保持枠２０の移動に対して余計な負荷とならないようにできる。
【００１７】
また、配線部２２ａ，２２ｂが配置されている位置は、コイル２１Ｘ，２１Ｙ及び位置検出用マグネット２３Ｘ，２３Ｙよりも光軸に近い位置（ブレ補正ユニットの内径側）となっているので、ブレ補正ユニットの外周付近には、ベース部材側接続部２２ｃ，２２ｄを除き、第２ＦＰＣ２２が配置されていない。したがって、後述するボール４０，ビス５０，フック部１０ｂ及び係合凸部３０ｂをブレ補正ユニットの外周付近に配置できる。
【００１８】
ベース部材３０は、ブレ補正ユニット１００の土台となる部材であり、このベース部材３０に対して、保持枠２０と蓋部材１０が取り付けられている。
ベース部材３０には、ヨーク３１Ｘ，３１Ｙが、Ｘ方向駆動用及びＹ方向駆動用の２つのコイル２１Ｘ，２１Ｙに対応する位置にビス３２により固定されている（ヨーク３１Ｘは、図示せず）。また、ベース部材３０には、不図示のカム筒に設けられたカム溝と係合するカムピン３０ａが固定されており、このカム筒の回転によりブレ補正ユニット１００が光軸Ｉと平行な方向に移動する。
また、ベース部材３０には、後述の蓋部材１０のフック部１０ｂが係合する係合凸部３０ｂが２箇所形成されている。
【００１９】
さらに、ベース部材３０の撮像素子側には、一段窪んだ第１の凹部３０ｃＸ，３０ｃＹが位置検出用マグネット２３Ｘ，２３Ｙに対向する位置に設けられている。さらに、第１の凹部３０ｃＸ，３０ｃＹの底面には、この底面からさらに一段窪んだ第２の凹部３０ｄＸ，３０ｄＹが後述のホール素子６１Ｘ，６１Ｙの外形に略一致する形状となるように設けられている。この第２の凹部３０ｄＸ，３０ｄＹは、貫通していない。また、第２の凹部３０ｄＸ，３０ｄＹ内には、後述のホール素子６１Ｘ，６１Ｙの位置をガイドする突起部３０ｆが設けられている。
このように、ベース部材３０は、後述するホール素子６１Ｘ，６１Ｙの位置を決める第２の凹部３０ｄＸ，３０ｄＹを有した位置検出部構成部品固定部材としての機能を有している。なお、ホール素子６１Ｘ，６１Ｙによる磁気の検出の妨げとならないように、ベース部材３０は、非磁性体により形成されている。
【００２０】
蓋部材１０は、ベース部材３０との間で保持枠２０を挟むようにベース部材３０に対して固定され、ばね性を有した金属製の板材により形成された部材である。具体的には、蓋部材１０は、厚さ０．２５ｍｍのりん青銅の薄板により形成されている。なお、蓋部材の材質は、これに限らず、その他の銅系の素材、ステンレス鋼等の鋼材を用いてもよく、厚さも適宜変更して、後述の板ばね部１０ａの付勢力を調整するとよい。
蓋部材１０は、フック部１０ｂを２箇所有しており、これらフック部１０ｂが係合凸部３０ｂと係合するとともに、ビス５０がビス止め部３３にねじ込まれることにより、ベース部材３０に対して固定されている。
蓋部材１０の枠部材側には、マグネット１１Ｘ，１１Ｙが、それぞれコイル２１Ｘ．２１Ｙに対向する位置に設けられている。また、蓋部材１０の被写体側には、ヨーク１２Ｘ，１２Ｙが、それぞれマグネット１１Ｘ，１１Ｙに対応して設けられている。
【００２１】
蓋部材１０のベース部材３０側には、蓋部材１０の外周方向へ略長方形の腕状に突出した部分を折り返した形状となっている板ばね部１０ａが設けられている。この板ばね部１０ａは、ボール４０を介して保持枠２０を光軸Ｉに平行な方向において支持する役割を有している。なお、ボール４０は、板ばね部１０ａと保持枠２０のボール受け部２５との間に設けられた板ばね側ボールと、保持枠２０のボール受け部２４とベース部材３０との間に設けられたベース部材側ボールとがあり、板ばね側ボールは２つ、ベース部材側ボールは３つ設けられている。
【００２２】
先に述べたように、第２ＦＰＣ２２は、レンズ群Ｌ２の周囲を囲むような形態で配置されている。よって、板ばね部１０ａとフック部１０ｂ、ビス５０とビス止め部３３、ボール４０とボール受け部２４をレンズユニット１００の外周付近に配置することができる。これら板ばね部１０ａとフック部１０ｂ、ビス５０とビス止め部３３、ボール４０とボール受け部２４のようなブレ補正ユニットの組み立てに使用するビスや、可動レンズ（ブレ補正光学系）を支持する部分は、ブレ補正ユニットの外周付近に設けることが組み立て精度を高めるため、及び、可動レンズを高い精度で支持するために望ましい。本実施例では、上述のように、ブレ補正ユニット１００の外周付近に、板ばね部１０ａとフック部１０ｂ、ビス５０とビス止め部３３、ボール４０とボール受け部２４が配置されているので、小型のレンズ鏡筒であっても保持枠２０を安定して保持できるとともに、ブレ補正ユニット１００を精度よく組み立てることができる。
【００２３】
第１ＦＰＣ６０は、ブレ補正ユニット１００と不図示の主基板とを接続する部材である。第１ＦＰＣ６０には、ホール素子６１Ｘ，６１Ｙが半田付けされている。
ホール素子６１Ｘ，６１Ｙは、位置検出用マグネット２３Ｘ，２３Ｙに対向する位置に設けられ、磁気の変化を検出することにより保持枠２０の位置を検出する磁気検出素子である。
【００２４】
図７は、ホール素子６１Ｙ付近をＹ軸に平行に切断した断面図である。
ホール素子６１Ｙは、ベース部材３０の第２の凹部３０ｄＹに挿入されており、突起部３０ｆがホール素子６１Ｙの位置をガイドしている。そして、ホール素子６１Ｙは、第１ＦＰＣ６０とともに、ベース部材３０に接着固定されている。なお、図示して説明を行わないが、ホール素子６１Ｘの取り付け構造は、ホール素子６１Ｙと同様な構造となっている。
【００２５】
このように、ホール素子６１Ｘ，６１Ｙは、ベース部材３０の第２の凹部３０ｄＸ，３０ｄＹに挿入されることにより、正確に位置決めされた状態でベース部材３０に固定される。したがって、ホール素子６１Ｘ，６１Ｙと第１ＦＰＣ６０との半田付けの位置ずれや浮き等があったとしても、取り付け位置がずれることなく、正確な位置検出を行える。
また、第２の凹部３０ｄＸ，３０ｄＹは、貫通していないので、不要な光が漏れること、及び、ゴミ等がブレ補正ユニットに進入することを防止できる。
【００２６】
（変形例）
以上説明した実施例に限定されることなく、種々の変形や変更が可能であって、それらも本発明の均等の範囲内である。
（１）本実施例において、デジタルスチルカメラのレンズ鏡筒を例に挙げて説明したが、これに限らず、例えば、動画撮影を主目的としたビデオカメラであってもよいし、静止画及び動画のいずれの撮影も可能なカメラであってもよい。また、フィルムを記録媒体とするカメラであってもよい。
【００２７】
（２）本実施例において、コイル２１Ｘ，２１Ｙ及び位置検出用マグネット２３Ｘ，２３Ｙが保持枠２０に取り付けられている例を示したが、これに限らず、例えば、ボイスコイルモータのマグネットが保持枠に取り付けられていてもよいし、ホール素子等の位置検出用のセンサが保持枠に取り付けられていてもよい。
【００２８】
（３）本実施例において、保持枠２０の位置検出にホール素子を用いた例を示したが、これに限らず、例えば、ＬＥＤとＰＳＤとを組み合わせて用いる透過型のセンサや、反射型のセンサ等の光センサであってもよい。
【図面の簡単な説明】
【００２９】
【図１】本発明によるレンズ鏡筒を含むカメラの実施例を示す図である。
【図２】ブレ補正ユニット１００の主要な部材を撮像素子側から示す分解斜視図である。
【図３】ブレ補正ユニット１００の主要な部材を被写体側から示す分解斜視図である。
【図４】ブレ補正ユニット１００から蓋部材１０を取り外して被写体側から見た図である。
【図５】ブレ補正ユニット１００から蓋部材１０を取り外して撮像素子側から見た図である。
【図６】保持枠２０を撮像素子側から見た図である。
【図７】ホール素子６１Ｙ付近をＹ軸に平行に切断した断面図である。
【符号の説明】
【００３０】
１０：蓋部材、１１Ｘ，１１Ｙ：マグネット、１２Ｘ，１２Ｙ：ヨーク、２０：保持枠、２１Ｘ，２１Ｙ：コイル、２２：第２ＦＰＣ、２２ａ，２２ｂ：配線部、２２ｃ，２２ｄ：ベース部材側接続部、２２ｅ：保持枠側接続部、２３Ｘ，２３Ｙ：位置検出用マグネット、３０：ベース部材、３０ｄＸ，３０ｄＹ：第２の凹部、３１Ｘ，３１Ｙ：ヨーク、６１Ｘ，６１Ｙ：ホール素子、４０：ボール、６０：第１ＦＰＣ
【図１】
2007219251.tif 000003
【図２】
2007219251.tif 000004
【図３】
2007219251.tif 000005
【図４】
2007219251.tif 000006
【図５】
2007219251.tif 000007
【図６】
2007219251.tif 000008
【図７】
2007219251.tif 000009